(57)【要約】【課題】操作スイッチの操作感に変化を持たせ、娯楽性を向上させる。【解決手段】バネ１２６は、レンズ部１１１と支持部１１２との押圧操作方向の相対的な位置関係を弾性的作用により当接する位置関係となるように維持する。復帰バネ１２９は、レンズ部１１１が押圧操作された後、レンズ部１１１および支持部１１２の位置を復帰させる。鉄心部１３５は、レンズ部１１１のレンズ保持部１２３の押上部１２４を、押圧操作方向に対して駆動させ、レンズ部１１１と支持部１１２の押圧操作方向の相対的な位置関係が、レンズ部１１１が支持部１１２に対して上方に持ち上げられるような位置関係となるように駆動する。パチンコ遊技機の操作スイッチに適用することができる。【選択図】図３
2010166937.tif 000002
【特許請求の範囲】
【請求項１】
押圧操作する押圧操作部と、
前記押圧操作部を支持する支持部と、
前記押圧操作部と前記支持部との押圧操作方向の相対的な位置関係を第１の位置関係となるように状態を保持する状態保持部と、
前記押圧操作部が押圧操作された後、前記押圧操作部および前記支持部の位置を復帰させる復帰部と、
前記押圧操作部を、前記押圧操作方向に対し、前記状態保持部の保持状態に抗して、前記押圧操作部と前記支持部との押圧操作方向の相対的な位置関係を、前記第１の位置関係と異なる第２の位置関係となるように駆動する駆動部と
を含む操作スイッチ。
【請求項２】
前記第１の位置関係とは、前記押圧操作部と前記支持部とが当接する押圧操作方向の位置関係である
請求項１に記載の操作スイッチ。
【請求項３】
前記状態保持部は、弾性体であり、前記押圧操作部と前記支持部とを反発力により状態を保持する
請求項１に記載の操作スイッチ。
【請求項４】
前記駆動部は、
ソレノイドと、前記ソレノイドの磁力により前記押圧操作方向に駆動する鉄心とを含み、
前記ソレノイドの磁力で、前記鉄心を前記押圧操作方向に対して駆動させることにより、前記押圧操作部を、前記押圧操作方向に対し、前記状態保持部の保持状態に抗して駆動させ、前記押圧操作部と前記支持部との押圧操作方向の相対的な位置関係を、前記第１の位置関係と異なる第２の位置関係となるように駆動する
請求項１に記載の操作スイッチ。
【請求項５】
前記第２の位置関係とは、前記押圧操作部と前記支持部とが当接しない押圧操作方向の位置関係である
請求項１に記載の操作スイッチ。
【発明の詳細な説明】
【技術分野】
【０００１】
本発明は、操作スイッチに関し、特に、操作感を変化させるようにして、娯楽性を向上させるようにした操作スイッチに関する。
【背景技術】
【０００２】
従来から遊技機としてパチンコ遊技機が広く普及している。このパチンコ遊技機には、押圧操作ボタンスイッチが設けられ、ゲームでは遊技者に対しボタン部の点滅等により、ゲームへの期待感等を持たせるといった演出がなされている。
【０００３】
その演出の一つとして、ソレノイドを使用して、押しボタンスイッチのボタン部を突出させる方法が提案されている（特許文献１参照）。
【０００４】
その他の演出として、操作ボタンの圧縮バネのセット長をソレノイドで変化させ操作荷重を変え、押しボタンスイッチの操作荷重を変化させる方法が提案されている（特許文献２参照）
【０００５】
【特許文献１】特開２００７−２９６０９０公報
【特許文献２】特開２００６−２８０７５２公報
【発明の開示】
【発明が解決しようとする課題】
【０００６】
しかしながら、特許文献１においては、ソレノイドを引き込むことで押ボタン突出状態となるが、その後の動きが無く演出効果が高いとは言い難いものがあった。
【０００７】
また、特許文献２においては、ソレノイドの可動距離では圧縮バネのセット変化長が短く、バネ力の範囲内で操作荷重を変化させることになるので、所定のストロ−クでバネ力を変化させても大きく操作荷重が変化したことは、遊技者には認識できないことが多かった。
【０００８】
本発明はこのような状況に鑑みてなされたものであり、特に、操作ボタンについて、演出効果を高めると共に、操作感にも変化を持たせることにより、娯楽性を向上させるようにするものである。
【課題を解決するための手段】
【０００９】
本発明の一側面の操作スイッチは、押圧操作する押圧操作部と、前記押圧操作部を支持する支持部と、前記押圧操作部と前記支持部との押圧操作方向の相対的な位置関係を第１の位置関係となるように状態を保持する状態保持部と、前記押圧操作部が押圧操作された後、前記押圧操作部および前記支持部の位置を復帰させる復帰部と、前記押圧操作部を、前記押圧操作方向に対し、前記状態保持部の保持状態に抗して、前記押圧操作部と前記支持部との押圧操作方向の相対的な位置関係を、前記第１の位置関係と異なる第２の位置関係となるように駆動する駆動部とを含む。
【００１０】
前記第１の位置関係とは、前記押圧操作部と前記支持部とが当接する押圧操作方向の位置関係とするようにすることができる。
【００１１】
前記状態保持部は、弾性体とすることができ、前記押圧操作部と前記支持部とを反発力により状態を保持させるようにすることができる。
【００１２】
前記駆動部には、ソレノイドと、前記ソレノイドの磁力により前記押圧操作方向に駆動する鉄心とを含ませるようにすることができ、前記ソレノイドの磁力で、前記鉄心を前記押圧操作方向に対して駆動させることにより、前記押圧操作部を、前記押圧操作方向に対し、前記状態保持部の保持状態に抗して駆動させ、前記押圧操作部と前記支持部との押圧操作方向の相対的な位置関係を、前記第１の位置関係と異なる第２の位置関係となるように駆動させるようにすることができる。
【００１３】
前記第２の位置関係とは、前記押圧操作部と前記支持部とが当接しない押圧操作方向の位置関係とすることができる。
【００１４】
本発明の一側面の操作スイッチにおいては、押圧操作部により押圧操作され、支持部により前記押圧操作部が支持され、状態保持部により前記押圧操作部と前記支持部との押圧操作方向の相対的な位置関係が第１の位置関係となるように保持され、復帰部により、前記押圧操作部が押圧操作された後、前記押圧操作部および前記支持部の位置が復帰され、駆動部により、前記押圧操作部が、前記押圧操作方向に対し、前記状態保持部の保持状態に抗して、前記押圧操作部と前記支持部との押圧操作方向の相対的な位置関係を、前記第１の位置関係と異なる第２の位置関係となるように駆動される。
【００１５】
本発明の一側面の操作スイッチにおける、押圧操作する押圧操作部とは、例えば、押ボタン部のレンズ部であり、前記押圧操作部を支持する支持部とは、例えば、押ボタン部の支持部であり、前記押圧操作部と前記支持部との押圧操作方向の相対的な位置関係を第１の位置関係となるように状態を保持する状態保持部とは、例えば、弾性体であるバネであり、前記押圧操作部が押圧操作された後、前記押圧操作部および前記支持部の位置を復帰させる復帰部とは、例えば、復帰バネであり、前記押圧操作部を、前記押圧操作方向に対し、前記状態保持部の保持状態に抗して、前記押圧操作部と前記支持部との押圧操作方向の相対的な位置関係を、前記第１の位置関係と異なる第２の位置関係となるように駆動する駆動部とは、例えば、ソレノイド、および鉄心部である。
【００１６】
すなわち、押ボタン部のレンズ部と支持部とが当接する第１の位置関係となるようにバネにより状態を保持させておき、押ボタン部が押圧操作されると、復帰バネの反発力に打ち勝って操作される。そして、駆動部であるソレノイドを励磁させ、その磁力により鉄心を駆動させて、押圧操作方向と逆方向（上方）にレンズ部のみをバネの反発力に抗するように押し出し、レンズ部と支持部とが当接しない第２の位置関係となるように押圧操作方向に対して駆動させることにより、押ボタン部のレンズ部が上方へ突出する。これにより、押ボタンの操作面が上方に突出変化することで、遊技者に演出効果を高めることができ、さらに、押圧操作に際し、押圧操作方向に対して復帰バネに加えて、ソレノイドの磁力により駆動されている鉄心部の力が付加されることにより、より大きな抗力が必要となるため、操作感が変化し、さらなる演出効果と娯楽性の向上を図ることが可能となる。
【発明の効果】
【００１７】
本発明によれば、操作ボタンを利用した演出効果を高めると共に、操作感にも変化を持たせることにより、娯楽性を向上させることが可能となる。
【発明を実施するための最良の形態】
【００１８】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
すなわち、本発明の一側面の操作スイッチ（例えば、図３の操作スイッチ１４）は、押圧操作する押圧操作部（例えば、図３のレンズ部１１１）と、前記押圧操作部を支持する支持部（例えば、図３の支持部１１２）と、前記押圧操作部と前記支持部との押圧操作方向の相対的な位置関係を第１の位置関係となるように状態を保持する状態保持部（例えば、図３のばね１２６）と、前記押圧操作部が押圧操作された後、前記押圧操作部および前記支持部の位置を復帰させる復帰部（例えば、図３の復帰バネ１２９）と、前記押圧操作部を、前記押圧操作方向に対し、前記状態保持部の保持状態に抗して、前記押圧操作部と前記支持部との押圧操作方向の相対的な位置関係を、前記第１の位置関係と異なる第２の位置関係となるように駆動する駆動部（例えば、図３の鉄心部１３５およびソレノイド１３６）とを含む。
【００２０】
前記駆動部には、ソレノイド（例えば、図３のソレノイド１３６）と、前記ソレノイドの磁力により前記押圧操作方向に駆動する鉄心（例えば、図３の鉄心部１３５）とを含ませるようにすることができ、前記ソレノイドの磁力で、前記鉄心を前記押圧操作方向に対して駆動させることにより、前記押圧操作部を、前記押圧操作方向に対し、前記状態保持部の保持状態に抗して駆動させ、前記押圧操作部と前記支持部との押圧操作方向の相対的な位置関係を、前記第１の位置関係と異なる第２の位置関係となるように駆動させるようにすることができる。
【００２１】
［操作スイッチの一実施の形態の構成例］
図１は、本発明に係る操作スイッチを利用したパチンコ遊技機を示す図である。
【００２２】
パチンコ遊技機１は、遊技ハンドル１１を把持し、回転させることにより、回転角度に応じた力で遊技球を発射させ、盤面に設けられた釘やチャッカ等に投入させることによりいわゆる大当たりなどを狙うことによる、期待感の高揚などにより遊技性を持たせたものである。
【００２３】
パチンコ遊技機１には、これから発射される遊技球、または払い出された遊技球を貯留する上皿１２と、上皿１２で貯留し切れない遊技球を貯留する下皿１３が設けられている。さらに、下皿１３には、左上面部に操作スイッチ１４が設けられている。操作スイッチ１４は、パチンコ遊技機１が、リーチと呼ばれる大当たりになる直前のチャンスタイムなどといった特定のタイミングにおいて押圧操作をすることで、娯楽性を高めるためのものである。尚、図１においては、操作スイッチ１４は、下皿１３の左上面に設けられる例について示されているが、遊技者が、一方の手で遊技ハンドル１１を操作しながら遊技を継続しつつも、他方の手で操作できる位置であれば他の位置に設けられる構成であってもよく、例えば、上皿１２の正面側面部や上面部に設けるようにしても良い。
【００２４】
［操作スイッチの詳細な構成例］
次に、図２乃至図４を参照して、操作スイッチ１４の詳細な構成について説明する。尚、図２の左部は、操作スイッチ１４単体の上面方向からの外観斜視図であり、図２の右部は、操作スイッチ１４単体の下方向からの外観斜視図である。また、図３は、上段が操作スイッチ１４の上方向からの分解斜視図であり、下段が操作スイッチ１４の下方向からの分解斜視図である。尚、図３については、主に、下段の下方向からの分解斜視図を参照して説明するものとする。さらに、図４は、左部が操作スイッチ１４の側面図であり、右部が、左部に示される線分ＡＡの断面図である。
【００２５】
すなわち、図２で示されるように、操作スイッチ１４の外観は、略円筒形状で構成されている。
【００２６】
また、図３の下段で示されるように、操作スイッチ１４の上面は、押圧操作するための押ボタン部１０１として構成されている。押ボタン部１０１は、レンズ部１１１、および支持部１１２から構成されている。
【００２７】
レンズ部１１１は、レンズ１２１、拡散レンズプレート１２２、およびレンズ保持部１２３より構成されている。レンズ１２１は、実質的に押圧操作面を形成している。レンズ１２１には、円筒中心を挟んで対向する位置であって、押圧方向に係止部１２１ａ−１，１２１ａ−２が設けられている。また、レンズ保持部１２３には、レンズ１２１の係止部１２１ａ−１，１２１ａ−２と対向する位置に、係止爪１２３ａ−１，１２３ａ−２（係止爪１２３ａ−２は図３では図示されていない）が設けられており、拡散レンズプレート１２２を挟み込み、係止爪１２３ａ−１が係止部１２１ａ−１に、係止爪１２３ａ−２が係止部１２１ａ−２に、それぞれ嵌まり込むことにより係止され、レンズ部１１１が構成される。
【００２８】
レンズ保持部１２３には、開口部１２３ｂ−１，１２３ｂ−２が設けられており、LED（Light Emitting Diode）１５１−１，１５１−２（図３の上段）が発光することにより発せられる光を拡散レンズプレート１２２に投光させる。そして、拡散レンズプレート１２２は、この開口部１２３ｂ−１，１２３ｂ−２より投光されるLED１５１−１，１５１−２からの光を拡散させてレンズ１２１に照射させる。レンズ１２１は、LED１５１−１，１５１−２により発せられた光を、拡散レンズプレート１２２により拡散された状態で投光する。結果として、レンズ部１１１は、押圧操作面を構成するレンズ１２１自体があたかも発光しているかのように演出することができる。また、レンズ保持部１２３には、押圧方向に円筒状の略中心を挟む位置であって、中心から同距離の位置に棒状のビス留部１２３ｃ−１，１２３ｃ−２が設けられている。また、レンズ保持部１２３には、押圧方向に円筒状の略中心に棒状の押上部１２４が設けられている。
【００２９】
支持部１１２は、ボタン支持部１２５、バネ１２６、バネ金具１２７、およびビス１２８より構成されている。ボタン支持部１２５には、円筒中心を挟んで対向する位置であって、円筒端部の位置に、可動板１３７とビス１３９により固定される、棒状のビス留部１２５ｂ−１，１２５ｂ−２が設けられている。このビス留部１２５ｂ−１，１２５ｂ−２は、可動板１３７において、ビス１３９と略同径の穴部１３７ａ−１，１３７ａ−２に挿通されたビス１３９により螺合され、可動板１３７とボタン支持部１２５とが固定される。
【００３０】
また、ボタン支持部１２５には、略中心を挟むように、レンズ保持部１２３のビス留部１２３ｃ−１，１２３ｃ−２と対応する位置であって、ビス留部１２３ｃ−１，１２３ｃ−２よりも径の若干大きな穴部１２５ａ−１，１２５ａ−２が設けられている。また、ボタン支持部１２５には、略中心に、レンズ保持部１２３の押上部１２４よりも径の若干大きな穴部１２５ｃが設けられている。これにより、レンズ保持部１２３のビス留部１２３ｃ−１，１２３ｃ−２、および押上部１２４は、それぞれボタン支持部１２５の穴部１２５ａ−１，１２５ａ−２，１２５ｃを挿通することができる。
【００３１】
さらに、バネ金具１２７は、操作方向に対して円筒状の円筒状穴部１２７ｂが設けられており、円筒状円筒状穴部１２７ｂの径よりも大きな径のバネ１２６を挿通した状態で、穴部１２５ｃに挿通されている押上部１２４を挿通させる。また、ビス１２８が、バネ金具１２７の穴部１２７ａ−１，１２７ａ−２に挿通され、穴部１２５ａ−１，１２５ａ−２に挿通されているビス留部１２３ｃ−１，１２３ｃ−２と螺合されている。
【００３２】
このため、穴部１２５ａ−１，１２５ａ−２，１２５ｃは、ビス留部１２３ｃ−１，１２３ｃ−２の棒状部の長さの分だけ、ビス留部１２３ｃ−１，１２３ｃ−２、および押上部１２４のそれぞれの棒状部を摺動することができる。すなわち、レンズ部１１１と支持部１１２とは、相互にビス留部１２３ｃ−１，１２３ｃ−２の棒状部の長さの分だけ、摺動させることが可能である。
【００３３】
さらに、バネ１２６は、バネ長が短いバネであって、圧縮コイルバネである。また、バネ１２６は、一方の端部がバネ金具１２７に、他方の端部が押上部１２４の根元部分に固定されている。このため、レンズ部１１１と支持部１１２とは、押圧操作方向に対して無負荷の場合、このバネ１２６の反発力により相互に当接する構造となっている。ただし、このバネ１２６の反発力に打ち勝って、相互を引き離す負荷を掛けることにより、レンズ部１１１と支持部１１２とは、ビス留部１２３ｃ−１，１２３ｃ−２の棒状部の長さの分だけ離すことが可能である。
【００３４】
復帰バネ１２９は、バネ金具１２７の円筒状穴部１２７ｂより挿通されている押上部１２４、および鉄心部１３５に挿通されており、バネ金具１２７の円筒状穴部１２７ｂと略同径であって、かつ、基板１３１の穴部１３１ａと略同径である。このため、復帰バネ１２９は、レンズ部１１１が押圧されると、ボタン支持部１２５とケース１３４により押圧方向に圧縮され、レンズ部１１１の押圧が解除されると、ケース１３４に固定された基板１３１から、復帰バネ１２９の反発力によりボタン支持部１２５を押し返すため、押ボタン部１０１全体が押圧される前の状態に復帰する。
【００３５】
基板１３１は、ケース１３４の内部に固定されており、LED１５１−１，１５１−２と共に、LED１５１−１，１５１−２およびソレノイド１３６を駆動するための各種の回路が設けられている。また、基板１３１には、押圧方向のビス留部１２５ｂ−１，１２５ｂ−２と円筒状の中心に対してそれぞれ略９０度異なる位置であって、円筒外周部の位置に、センサ部１３２、およびコネクタ１３３が設けられている。センサ部１３２は、スリット部１３２ａを跨ぐように一方の端部に設けられた発光部が他方の端部に向けて光を発し、他方の端部に設けられた受光センサが、この発光部からの光の受光の有無を示す信号が、押ボタン部１０１の操作を認識する信号として、コネクタ１３３を介して制御部１６１のスイッチ操作認識部１７１に供給される。
【００３６】
より詳細には、可動板１３７には、スリット部１３２ａと対応する位置にセンサ遮光部１３８に設けられており、復帰バネ１２９の反発力によりボタン支持部１２５が、基板１３１から所定の位置に確保されることにより、併せて可動板１３７が基板１３１に接近した状態で維持される。このため、押ボタン部１０１が押圧操作されていない状態において、センサ遮光部１３８は、センサ部１３２のスリット部１３２ａに挿入された状態となっている。したがって、受光部は、発光部からの光を受光することができないので、押ボタン部１０１の押圧操作が認識できない信号として受光できないことを示す信号が出力される。
【００３７】
一方、押ボタン部１０１が押圧操作されると、レンズ部１１１が押圧操作されると対応して支持部１１２も押圧操作され、復帰バネ１２９が圧縮される。これに連動して可動板１３７も押圧操作方向に移動することになるため、基板１３１から離れるように移動することにより、可動板１３７上のセンサ遮光部１３８が、押圧操作方向に移動し、板状のセンサ遮光部１３８が、スリット部１３２ａから抜き出されることにより、受光部は、発光部からの光を受光することができる状態となるので、押ボタン部１０１の押圧操作を認識する信号として受光できたことを示す信号が出力される。
【００３８】
基板１３１には、円筒状の略中心位置から所定の位置に穴部１３１ｂ−１，１３１ｂ−２が設けられており、押圧方向に対して、ビス１３０が挿通されて、ソレノイド１３６が基板１３１に螺合されている。また、基板１３１には、略円筒状の中心位置に復帰バネ１２９と略同径の穴部１３１ａが設けられており、後述する鉄心部１３５の棒状部１３５ａを挿通する。ソレノイド１３６は、コネクタ１３３に接続された制御部のソレノイド制御部１７２により励磁、および非励磁が制御される。
【００３９】
ソレノイド１３６の円筒状中心部には、挿通穴１３６ａが設けられており、鉄心部１３５の棒状部１３５ａが挿通されている。鉄心部１３５は、棒状の棒状部１３５ａと円盤状の底部１３５ｂとから構成されている。ソレノイド１３６が非励磁の場合、図４で示されるように、鉄心部１３５の底部１３５ｂは、自重により可動板１３７上に存在する。鉄心部１３５の棒状部１３５ａの長さは、このように底部１３５ｂが可動板１３７上に存在するとき、丁度、レンズ保持部１２３の押上部１２４の下端に当接する構成となっている。
【００４０】
そして、ソレノイド１３６が励磁された場合、鉄心部１３５は、図５で示されるように、底部１３５ｂが磁力によりソレノイド１３６に吸い寄せられ、鉄心部１３５が、ソレノイド１３６の挿通穴１３６ａ内を上方に摺動することにより、対応して鉄心部１３５の棒状部１３５ａの先端部がレンズ保持部１２３の押上部１２４を押し上げる力が発生する。この力は、バネ１２６の反発力に打ち勝つ大きさとなるようにソレノイド１３６の吸着力が発生する。
【００４１】
この結果、押上部１２４が上方に押し上げられることにより、穴部１２５ａ−１，１２５ａ−２，１２５ｃは、棒状部１３５ａが挿通穴１３６ａ内を上方に摺動した距離だけ、ビス留部１２３ｃ−１，１２３ｃ−２、および押上部１２４のそれぞれの棒状部を摺動するので、レンズ部１１１が、支持部１１２よりも、相互にビス留部１２３ｃ−１，１２３ｃ−２の棒状部の長さの分だけ、図中の上方に突出する状態へと変化する。
【００４２】
この状態において、押ボタン部１０１が押圧操作されると、レンズ１２１に作用する押圧された力が、レンズ保持部１２３に伝達する。さらに、レンズ保持部１２３の押上部１２４が鉄心部１３５の棒状部１３５ａの先端部に、その力を伝達する。このとき、押圧操作により発生する力とバネ１２６の反発力とにより、ソレノイド１３６により発生している吸着力に打ち勝つものであれば、鉄心部１３５は、押上部１２４の先端部に伝達された力により図中の下方向に棒状部１３５ａが、挿通穴１３６ａ内を摺動することにより、図６の右部で示されるように、底部１３６ｂが、可動板１３７に到達する。さらに、押ボタン部１０１が押圧され、可動板１３７と、ビス留部１２５ａ−１，１２５ａ−２により連接されているボタン支持部１２５が復帰バネ１２９を圧縮しながら、図中の下方向に移動する。これに伴い、鉄心部１３５の底部１３５ｂが可動板１３７を図中の下方向に押圧し、可動板１３７の移動に伴って、センサ遮光部１３８が、下方向に移動することにより、センサ部１３２のスリット部１３２ａから外されて、遮光が解除されるため、受光部により発光部の光が受光され、押圧操作が認識されたことを示す信号として、受光部が光を受光したことを示す信号が出力される。
【００４３】
さらに、押ボタン部１０１の押圧操作を解除すると、復帰バネ１２９が伸張することにより反発力を生じて、ケース１３４に対してボタン支持部１２５を押し上げる。ケース１３４に対してボタン支持部１２５が押し上げられることにより、ボタン支持部１２５が、連接されている可動板１３７と共に、図中の上方に持ち上げられる。さらに、ソレノイド１３６が励磁されていた場合、鉄心部１３５の底部１３５ｂがソレノイド１３６に吸着されることにより、棒状部１３５ａの先端部が、レンズ保持部１２３の押上部１２４を上方に移動させるので、レンズ部１１１が上方に持ち上げられ、図５で示されるような構成となる。
【００４４】
尚、ソレノイド１３６が励磁されていなかった場合、鉄心部１３５の底部１３５ｂは、ソレノイド１３６の磁力により上方に移動しないので、棒状部１３５ａも押上部１２４を押し上げることがない。このため、レンズ部１１１は図４の状態となり、さらに、押圧操作された後の動作においても、ソレノイド１３６の磁力による鉄心部１３５の負荷が生じない。したがって、ソレノイド１３６が励磁されていない場合、押ボタン部１０１の押圧操作に必要とされる負荷は、励磁されている場合よりも小さく、また、押圧操作に必要とされる押圧操作量（ストローク）も小さいものとなる。
【００４５】
以上の動作をまとめると、図７で示されるようになる。
【００４６】
すなわち、ソレノイド１３６が励磁されていない場合、図７の左上部、または、左下部で示される状態となる。尚、図７の左上部、または、左下部は、図４の右部の状態に対応する。この状態において、制御部１６１のソレノイド制御部１７２が、ソレノイド１３６を励磁するように制御すると、ソレノイド１３６が励磁され、鉄心部１３５の底部１３５ｂが、磁力によりソレノイド１３６に吸い寄せられて、距離ｄｕだけ移動する。このため、レンズ保持部１２３の押上部１２４が図中の上方に距離ｄｕだけ移動する。これに伴って、図７の右上部で示されるように、押ボタン部１０１の押圧操作面が距離ｄｕだけ上方に移動する。
【００４７】
結果として、図７の右上部で示されるように、押ボタン部１０１の上面に形成される押圧操作面が距離ｄｕだけ上方に移動する。尚、図７の右上部は、図５の右部の状態に対応する。
【００４８】
この状態から、押圧操作がなされることにより、図７の右下部で示されるように、鉄心部１３５の底部１３５ｂが可動板１３７を距離ｄｄだけ押し下げ、さらに、可動板１３７に連接されているボタン支持部１２５が距離ｄｄだけ押し下げられ、復帰バネ１２９を圧縮し、センサ部１３２のスリット部１３２ａを遮光しているセンサ遮光部１３８がスリット部１３２ａから取り除かれることにより、センサ部１３２内部の発光部により発光される光が受光部により受光されることで、押ボタン部１０１の押圧操作を認識する信号がコネクタ１３３を介して、制御部１６１のスイッチ操作認識部１７１に供給される。結果として、図７の右下部で示されるように、押ボタン部１０１の押圧操作面は、距離ｄｄだけ押し下げられた状態となる。尚、図７の右下部は、図６の右部の状態に対応する。
【００４９】
さらに、押ボタン部１０１の押圧操作が解除されると、復帰バネ１２９の反発力によりケース１３４に対してボタン支持部１２５が上方に押し上げられる。さらに、ボタン支持部１２５に連接されている可動板１３７が上方に引き上げられ、センサ遮光部１３８がスリット部１３２ａに挿入されることにより、センサ部１３２において受光部が遮光され、押圧操作が解除されたことが認識される信号として、受光部により光を受光できないことを示す信号が、コネクタ１３３より制御部１６１のスイッチ操作認識部１７１に出力される。さらに、ソレノイド１３６が励磁されているので、鉄心部１３５の底部１３５ｂがソレノイド１３６に磁力により吸着され、棒状部１３５ａの先端がレンズ保持部１２３の押上部１２４を押し上げるので、レンズ部１１１が支持部１１２に対して上方に突出した、図７の右上部で示される状態に戻る。
【００５０】
尚、ソレノイド１３６が励磁されていない場合、押圧操作されると、図７における左下部の状態から右下部の状態に変化し、押圧操作が解除されると、図７における右下部の状態から左下部の状態に変化する。この際の動作においては、ソレノイド１３６の励磁に伴う鉄心部１３５の動作、および作用がないのみであり、その他については、ソレノイド１３６を励磁した場合と同様である。
【００５１】
結果として、ソレノイド１３６の励磁状態をソレノイド制御部１７２により制御することで、操作スイッチ１４の押ボタン部１０１の押圧操作面の位置を変化させることができ、押圧操作させる操作量（ストローク）を変化させることで、操作感を変化させることが可能となり、遊技者に対しての演出効果を向上させることが可能となる。
【００５２】
尚、例えば、図５で示されるように、レンズ保持部１２３における、ソレノイド１３６が励磁された状態においてのみ露出する部分に、他の領域と異なる配色を施した色付け部２０１を設けるようにしておくことにより、遊技者に対して視覚でも押ボタン部１０１の押圧操作面の位置が変化していることを認識し易くすることができ、演出効果をさらに向上させることが可能となる。
【００５３】
また、ソレノイド１３６により励磁された状態においては、復帰バネ１２９の反発力のみならず、さらに、ソレノイド１３６の励磁に伴って鉄心部１３５が磁力により吸い寄せられることにより発生する、さらに大きな反発力に打ち勝つように押圧操作する必要が生じるため、押圧操作に必要とされる押圧力に変化を持たせることで操作感に変化を持たせることが可能となる。
【００５４】
さらに、以上においては、ソレノイド１３６の励磁非励磁により押ボタン部１０１の押圧操作面の位置を２段階に変化させる例について説明してきたが、ソレノイド１３６の励磁により発生する磁力と、バネ１２６の伸縮量などにより押圧操作面の位置を、さらに複数の段階に設定するようにしてもよい。
【００５５】
また、ソレノイド制御部１７２によりソレノイド１３６の励磁非励磁の繰り返しパターンを様々に変化させることにより、遊技者は操作スイッチ１４１に手を載せているだけで、押ボタン部１０１の変化を振動として感じさせるようにすることもでき、これにより演出効果を高めるようにすることが可能となる。
【００５６】
尚、以上においては、操作スイッチをパチンコ遊技機に適用した場合について説明してきたが、遊技機であればこれに限るものではなく、例えば、スロットマシン、または、ゲーム機などに適用するようにしても良い。
【００５７】
本発明によれば、操作スイッチの操作感を変化させることが可能となり、遊技の娯楽性を向上させることが可能となる。
【図面の簡単な説明】
【００５８】
【図１】本発明に係る操作スイッチを利用したパチンコ遊技機を示す図である。
【図２】図１の操作スイッチの外観斜視図である。
【図３】図１の操作スイッチの分解斜視図である。
【図４】図１の操作スイッチのソレノイドが非励磁の場合の動作を説明する断面図である。
【図５】図１の操作スイッチのソレノイドが励磁の場合の動作を説明する断面図である。
【図６】図１の操作スイッチの押圧操作された場合の動作を説明する断面図である。
【図７】図１の操作スイッチの動作を説明する断面図である。
【符号の説明】
【００５９】
１４  操作スイッチ
１０１  押ボタン部
１１１  レンズ部
１１２  支持部
１２１  レンズ
１２２  拡散レンズプレート
１２３  レンズ保持部
１２４  押上部
１２５  ボタン支持部
１２６  バネ
１２７  バネ金具
１２９  復帰バネ
１３１  基板
１３２  センサ部
１３３  コネクタ
１３４  ケース
１３５  鉄心部
１３６  ソレノイド
１３７  可動板
１３８  センサ遮光部
【図１】
2010166937.tif 000003
【図２】
2010166937.tif 000004
【図３】
2010166937.tif 000005
【図４】
2010166937.tif 000006
【図５】
2010166937.tif 000007
【図６】
2010166937.tif 000008
【図７】
2010166937.tif 000009